(57)【要約】  【課題】  簡単なハードウェアのみでデータを記録／再生できるホログラフィックデータ記録／再生装置を提供する。  【解決手段】  本発明によるデータ記録装置は、ボリュームホログラフィーを用いてデータを３次元で記録できる記録媒体にレーザビームを投射するレーザビーム投射装置、及び複製しようとするデータが記録された状態で記録媒体の下部に整列し、レーザビームが記録媒体を透過し入射されればデータに対応する信号光形態で回折反射し投射することにより、最初入射されたレーザビーム及び信号光により形成される干渉縞が記録媒体に記録されるようにする反射型データマスクを含む。  【選択図】        図３
2007047669.tif 000002
【特許請求の範囲】
【請求項１】
ホログラフィックデータを記録できる記録媒体にレーザビームを投射するレーザビーム投射装置と、
複製しようとするデータが記録された状態で前記記録媒体の下部に整列し、前記レーザビームが前記記録媒体を透過して入射されれば、前記データに対応する信号光形態で反射して前記記録媒体に投射することにより、前記レーザビーム及び前記信号光により形成される干渉縞が前記記録媒体に記録されるようにする反射型データマスクと、
を含むことを特徴とするホログラフィックデータの記録装置。
【請求項２】
前記反射型データマスクは、前記データをピット形態で記録して前記レーザビームが投射されれば、前記ピット形態で対応するように回折反射することにより前記信号光を生成することを特徴とする、請求項１に記載のホログラフィックデータの記録装置。
【請求項３】
前記反射型データマスクを所定の第２のデータがピット形態で記録された第２の反射型データマスクに入れ替えることにより、前記記録媒体の一領域にデータを多重記録することを特徴とする、請求項２に記載のホログラフィックデータの記録装置。
【請求項４】
前記レーザビーム投射装置は、
前記レーザビームの波長を変更した後、前記記録媒体に投射することにより前記記録媒体の同一領域にデータを多重的に記録することを特徴とする、請求項３に記載のホログラフィックデータの記録装置。
【請求項５】
参照光及び信号光間の干渉縞形態でホログラフィックデータが記録された記録媒体から前記データを再生するホログラフィックデータの再生装置において、
前記参照光を前記記録媒体に垂直に投射して前記参照光に対応する信号光が復元されるようにする参照光投射装置と、
復元された前記信号光を検出して前記信号光が表示するデータを確認する光信号検出器と、を含むことを特徴とするホログラフィックデータの再生装置。
【請求項６】
前記参照光投射装置は、
レーザビームを平行ビーム形態で出力する光源と、
前記光源から出力されるレーザビームの経路を変更し、前記レーザビームを前記参照光として動作させるビームスプリッターと、
前記ビームスプリッターにより経路が変更された前記レーザビームを前記記録媒体の所定領域に集束させる対物レンズと、
を含むことを特徴とする、請求項５に記載のホログラフィックデータの再生装置。
【請求項７】
前記参照光投射装置は、
前記参照光の波長を変更し前記記録媒体の同一領域に投射することにより、前記領域に多重的に記録されたデータを再生させることを特徴とする、請求項６に記載のホログラフィックデータの再生装置。
【請求項８】
データを選択的に読み出すことができるように、前記記録媒体から復元される前記信号光が前記光信号検出器に投射される投射面積を調節する絞りをさらに含むことを特徴とする、請求項７に記載のホログラフィックデータの再生装置。
【請求項９】
前記記録媒体から復元される信号光の焦点位置を調節するフォーカシングレンズをさらに含むことを特徴とする、請求項８に記載のホログラフィックデータの再生装置。
【請求項１０】
（ａ）ホログラムデータを記録できる記録媒体に所定のレーザビームを投射するステップと、
（ｂ）前記レーザビームを前記記録媒体に透過させ、前記記録媒体に複製しようとするデータが記録された反射型データマスクに入射させるステップと、
（ｃ）前記反射型データマスクが前記レーザビームを前記データに対応する信号光形態で前記記録媒体に反射するステップと、
（ｄ）前記記録媒体の所定領域で前記レーザビーム及び前記信号光により形成される干渉縞がホログラフィックデータで記録されるステップと、
を含むことを特徴とするホログラフィックデータの記録方法。
【請求項１１】
前記ステップ（ｃ）は、
前記反射型データマスクは、前記データがピット形態で記録されて、前記レーザビームが投射されれば、前記ピット形態で対応するよう回折反射することにより前記信号光を生成することを特徴とする、請求項１０に記載のホログラフィックデータの記録方法。
【請求項１２】
（ｅ）前記レーザビームの波長を多重化することにより、前記記録媒体の所定領域に記録されたデータを多重化するステップをさらに含むことを特徴とする、請求項１１に記載のホログラフィックデータの記録方法。
【請求項１３】
前記ステップ（ｅ）は、
前記反射型データマスクを所定の第２のデータが記録された第２の反射型データマスクに入れ替えるステップと、
前記レーザビームの波長を多重化が可能な所定範囲内で変更した後、前記記録媒体に投射するステップと、を含むことを特徴とする請求項１２に記載のホログラフィックデータの記録方法。
【請求項１４】
参照光及び信号光間の干渉縞であるホログラフィックデータが記録された記録媒体から前記データを再生するホログラフィックデータの再生方法において、
（ａ）前記記録媒体のうち前記データを再生しようとする所定領域に前記参照光を垂直投射するステップと、
（ｂ）前記記録媒体が前記参照光に対応する信号光を復元するステップと、
（ｃ）復元された前記信号光を検出して前記信号光が表示するデータを確認するステップと、を含むことを特徴とするホログラフィックデータの再生方法。
【請求項１５】
前記ステップ（ａ）は、
レーザビームを平行ビーム形態で出力するステップと、
前記レーザビームの経路を前記記録媒体に垂直な方向に変更して、前記レーザビームを前記参照光として動作させるステップと、
前記記録媒体に垂直に入射する前記レーザビームを前記記録媒体の所定領域に集束させるステップと、
を含むことを特徴とする、請求項１４に記載のホログラフィックデータの再生方法。
【請求項１６】
（ｄ）前記参照光の波長を変更して前記記録媒体の同一領域に投射することにより、前記領域に多重的に記録されたデータを再生するステップをさらに含むことを特徴とする、請求項１５に記載のホログラフィックデータの再生方法。
【請求項１７】
データを選択的に読み出すことができるように、前記記録媒体から復元される前記信号光の復元面積を調節するステップをさらに含むことを特徴とする、請求項１６に記載のホログラフィックデータの再生方法。
【請求項１８】
前記記録媒体から復元される信号光の焦点位置を調節するステップをさらに含むことを特徴とする、請求項１７に記載のホログラフィックデータの再生方法。
【発明の詳細な説明】
【技術分野】
【０００１】
本発明は、ホログラフィック記録媒体に対する記録／再生装置及び方法に関し、特に反射型データマスクを使用することにより、簡単なハードウェア構成でホログラフィック記録媒体に迅速にデータを記録するか、或いは再生できる装置及び方法に関する。
【背景技術】
【０００２】
コンピュータの普及が増えることに伴い、コンピュータをより能率的に活用し、その性能を向上させるための各種周辺機器及び構成部品などに対する開発も加速化されている。特に、コンピュータの電源供給が中断されても記憶されたプログラムや資料を保管する役割を果たす補助記録媒体の場合、多様な種類の記録媒体が開発され普及されている。一般に使用される補助記録媒体としては、磁気記録媒体及び光ディスク記録媒体を挙げられる。
【０００３】
磁気記録媒体は、フレキシブルディスク、ハードディスクなどのように磁気を用いてデータを記録する媒体であり、特にハードディスクは、記憶容量が大きく、資料の入出力速度が早くてパーソナルコンピュータの主な補助記憶装置として使用されている。一方、フレキシブルディスクは、携帯が簡便でパーソナルコンピュータの補助記憶装置として一時常用化されたが、記憶容量が小さくて最近のマルチメディア情報を記録するためには、多くは数十枚のディスクを必要とする場合が生じる。
【０００４】
他方、フレキシブルディスクのように着脱自在な磁気ディスクの容量不足を改善するため開発された光ディスク装置（或いは、レーザディスク装置）は、相対的に記憶容量が大きく、高速に検索できて最近使用が急増している。種類には、ＣＤ−ＲＯＭ、デジタルビデオディスク（ＤＶＤ）などがある。
だが、最近のコンピュータ技術と情報通信分野の急激な発達は、膨大な規模の情報を記録する手段を必要とする。数千億バイトに達する膨大な規模のデータは、ＣＤの記録能力を超えることであるため、新しい記録媒体の開発が要求されている。これにより、最近には光によって屈折率が変わる光屈折効果を用いる‘ホログラム（Ｈｏｌｏｇｒａｍ）’情報記録法がある。
【０００５】
ホログラム情報記録法とは、情報を光学干渉縞形態で光に鋭敏な無機質結晶やポリマー材料に記録することである。光学干渉縞は、干渉性を帯びる二本のレーザビームを用いて形成される。すなわち、いずれのデータも含まない参照光及び所定のデータを含む信号光が干渉し形成される干渉縞が感光性記録媒体での化学的或いは物理的変化を起こして記録される。このように、干渉縞形態で物体の映像が記録されたフィルムをホログラムといい、ホログラムを記録する技術をホログラフィーという。
【０００６】
一方、体積ホログラフィーを用いて、記録媒体の３次元空間に情報を記録できる。これにより、参照光の角度、位相、波長などを変化させ多重化して高密度のデータを記録、復元するので速度が非常に早く、記録容量も優れるという長所がある。
だが、ホログラム情報記録法でデータを複製する場合、既存の光記録媒体とは違って、早い複製が成されにくいため、最近までは、ＷＯＲＭ（Ｗｒｉｔｅ−Ｏｎｃｅ，Ｒｅａｄ−Ｍａｎｙ）方式やＲＷ（Ｒｅａｄ  ａｎｄ  Ｗｒｉｔｅ）方式のシステムに限られ、技術開発が進行されてきた。すなわち、ユーザによりデータが複製されるため、早い複製を不要にするＷＯＲＭやＲＷ方式のホログラフィック記録媒体に比べて、製作者が多量の媒体を生産するＲＯＭ方式では、早い複製方法が必要である。従って、ホログラム情報記録法で早い複製技術に対する開発が知られなかった状態では、ＲＯＭ方式としてはホログラフィック技術を活用できなかった。
【０００７】
図１は、かかる問題点を解決するため従来に提示された技術であり、ホログラフィックＲＯＭにデータを複製する装置の構成を示す模式図である。同図に示すように、レーザ光源（図示せず）から出力された光は、ビームスプリッターにより二本のビーム４０ａ、４０ｂに分離され、それぞれ透過型データマスク１０及び円錐状のコニカルミラー３０に入射される。
【０００８】
透過型データマスク１０は、長さの種類が多様なピット形態でデータが記録されたマスクを意味する。透過型データマスク１０に入射された光４０ａは、各ピットを通じて記録媒体２０に透過されながら、データを含む信号光５０ａになる。すなわち、信号光５０ａが透過型データマスク１０から記録媒体２０に入射される。
他方、コニカルミラー３０に入射されるビーム４０ｂは、コニカルミラー３０の表面から反射され多様な角度で記録媒体２０に入射される。コニカルミラー３０を通じて反射されるビーム５０ｂは、いずれのデータも含まない参照光になる。
【０００９】
これにより、記録媒体２０の上下面に信号光５０ａ及び参照光５０ｂがそれぞれ多様な角度で入射し、互いに干渉現象を起こして記録媒体２０にホログラム形態で記録される。
一方、コニカルミラー３０を多様な傾斜角度を有する他のコニカルミラーに入れ替え、データマスク１０も他のデータを含むものに入れ替えた後、同じ方式で参照光５０ｂ及び信号光５０ａを走査すれば、記録媒体２０の同一領域に参照光５０ｂが異なる角度で入射されると同時に、他のデータを含む信号光５０ａと干渉現象を起こしながらデータが記録される。すなわち、角度の多重化が成されるためデータ多重記録が行われる。これにより、ホログラフィック技術でデータの早い複製が可能である。
【００１０】
図２は、図１の方式でデータが記録された記録媒体２０からデータを再生する過程を示す模式図である。同図に示すように、記録媒体２０に参照光５０ｂが入射された方向の反対面へ参照光５０ｂに対する位相共軛波６０を走査すれば、記録媒体２０に入射した信号光５０ａの位相共軛波が透過型データマスク１０が位置した所に再生される。
再生されるデータは、ピックアップレンズ７０を通じて集束された後、光信号検出器８０で検出される。他方、位相共軛波６０を多様な角度で走査すれば、多重化された角度で記録されたデータを全て再生できる。
【００１１】
一方、図１及び図２に示した技術でデータを記録／再生すれば、比較的早いデータの複製が可能となるため、ホログラフィックＲＯＭが実現できるが、図１で均一な入射角で参照光を記録媒体２０に走査するためにはコニカルミラー３０の反射面が均一な傾斜角を有しなければならない。しかし、こうした均一な反射面を有するコニカルミラー３０の製作が困難であるという問題点がある。
【００１２】
また、図２に示すように、データを再生するためには、参照光５０ｂに対する位相共軛波６０を記録媒体２０に斜めな角度で走査すべきであり、多重化された各データを再生するため一定の走査角度で変化させるべきであるので、こうした技術も実現が難しいという問題点がある。
【発明の開示】
【発明が解決しようとする課題】
【００１３】
本発明は、前記のような問題点を解決するためになされたものであって、その目的は反射型データマスクを用いてデータを記録し、記録媒体に垂直な方向に参照光を入射し記録されたデータを再生することにより、従来技術に比べて簡単なハードウェアでホログラフィック記録媒体にデータを記録／再生できるデータ記録／再生装置及びその方法を提供することにある。
【課題を解決するための手段】
【００１４】
前記目的を達成するための本発明の一実施形態によるホログラフィックデータ記録装置は、ホログラムデータを記録できる記録媒体にレーザビームを投射するレーザビーム投射装置と、前記記録媒体に複製しようとするデータが記録された状態で前記記録媒体の下部に整列し、前記レーザビームが前記記録媒体を透過し入射されれば、前記データに対応する信号光形態で回折反射し前記記録媒体に投射することにより、前記レーザビーム及び前記信号光により形成される干渉縞が前記記録媒体に記録されるようにする反射型データマスクと、を含む。
【００１５】
この場合、前記反射型データマスクは、前記データをピット形態で記録し前記レーザビームが投射されれば、前記ピット形態で対応するように回折反射することにより前記信号光を生成し記録媒体に投射できる。
一方、記録媒体の同一領域に別のデータを多重的に複製するためには、前記反射型データマスクを所定の第２のデータがピット形態で記録された第２の反射型データマスクに入れ替えなければならない。
【００１６】
この場合、前記レーザビーム投射装置は、前記レーザビームの波長を多重化させることでデータを多重的に記録できる。すなわち、レーザビームの波長を多重化が可能な範囲内で変更した後、前記記録媒体に投射することにより前記記録媒体の同一領域にデータを多重的に記録できる。
以上のように、参照光及び信号光の間の干渉縞であるホログラフィックデータが記録された記録媒体からホログラフィックデータを再生する本発明による再生装置は、前記参照光を前記記録媒体に垂直に投射し前記参照光に対応する信号光が復元されるようにする参照光投射装置と、復元された前記信号光を検出し前記信号光が表示するデータを確認する光信号検出器と、を含む。
【００１７】
この場合、前記参照光投射装置は、レーザビームを平行ビームの形態で出力する光源と、前記光源から出力されるレーザビームの経路を変更して、前記レーザビームを前記参照光として動作させるビームスプリッターと、前記ビームスプリッターにより経路が変更された前記レーザビームを前記記録媒体の所定領域に集束させる対物レンズと、を含むことができる。
【００１８】
他方、好ましくは、前記記録媒体のうちデータを読み出ししようとする所定ピットから再生された信号光のみを選択的に通過させるよう前記信号光の再生面積を調節する絞り（ａｐｅｒｔｕｒｅ）を前記光信号検出器の前にさらに含むことができる。
より好ましくは、本発明によるホログラフィックデータ再生装置は、前記記録媒体から復元される信号光の焦点位置を調節するフォーカシングレンズ（ｆｏｃｕｓｉｎｇ  ｌｅｎｓ）をさらに含むことでより正確なデータを検出できる。
【００１９】
一方、同一領域に多重的に記録されたデータを検出するために、前記参照光投射装置は、前記参照光の波長を変更して前記記録媒体の同一領域に投射できる。すなわち、各参照光の波長に対応する各信号光が復元されれば、その信号光からデータを検出することにより多重化されたデータを確認できる。
他方、本発明の一実施形態によるホログラフィックデータ記録装置でのデータ記録方法は、（ａ）ホログラムデータを記録できる記録媒体に所定のレーザビームを投射する段階と、（ｂ）前記レーザビームを前記記録媒体に透過させ、前記記録媒体に複製しようとするデータが記録された反射型データマスクに入射させる段階と、（ｃ）前記反射型データマスクが前記レーザビームを前記データに対応する信号光の形態で反射し前記記録媒体に投射する段階と、（ｄ）前記記録媒体の所定領域で前記レーザビーム及び前記信号光により形成される干渉縞がホログラフィックデータで記録される段階と、を含む。
【００２０】
一方、前記段階（ｃ）は、前記反射型データマスクは、前記データがピット形態で記録され、前記レーザビームが投射されれば前記ピット形態に対応するよう回折反射することにより、前記信号光を生成することが好ましい。
より好ましくは、本発明によるデータ記録方法は、（ｅ）前記レーザビームの波長を多重化することにより、前記記録媒体の所定領域に記録されたデータを多重化する段階をさらに含む。
【００２１】
この場合、前記段階（ｅ）は、前記反射型データマスクを所定の第２のデータが記録された第２の反射型データマスクに入れ替える段階と、前記レーザビームの波長を多重化が可能な所定範囲内で変更した後、前記記録媒体に投射する段階と、を含む。
また、本発明の一実施形態によるホログラフィックデータ再生方法は、（ａ）参照光を記録媒体のうちデータを再生しようとする所定領域に垂直投射する段階と、（ｂ）前記記録媒体が前記参照光に対応する信号光を復元する段階と、（ｃ）復元された前記信号光を検出して前記信号光が表示するデータを確認する段階と、を含む。
【００２２】
この場合、好ましくは、前記段階（ａ）は、レーザビームを平行ビームの形態で出力する段階と、前記レーザビームの経路を前記記録媒体に垂直な方向に変更する段階と、前記記録媒体に垂直に入射する前記レーザビームを前記記録媒体の所定領域に集束させる段階と、を含む。
他方、より好ましくは、前記段階（ｃ）は、前記記録媒体のうちデータを読み出ししようとする所定ピットから再生された信号光のみを選択的に通過させるよう前記信号光の復元面積を調節する段階をさらに含む。
【００２３】
また、本発明によるデータ再生方法は、前記記録媒体から復元される信号光の焦点位置を調節する段階をさらに含むことでより正確なデータを検出できる。
一方、多重化されて記録されたデータを検出するためには、（ｄ）前記参照光の波長を変更し前記記録媒体の同一領域に投射することにより、前記領域に多重的に記録されたデータを再生する段階をさらに含むことも好ましい。
【発明の効果】
【００２４】
以上説明したように、本発明によれば、ホログラフィック記録媒体に適用される記録装置及び記録装置を実現できる。特に、反射型データマスクを使用することにより、早いデータ複製が可能となってホログラフィックＲＯＭ方式でもデータを記録して普及することが可能となり、特に、従来技術に比べて比較的簡単なハードウェアのみでデータを記録／再生でき、光効率も向上する。
【発明を実施するための最良の形態】
【００２５】
以下、添付した図面に基づいて本発明について詳細に説明する。
図３は、本発明の一実施形態によるホログラフィックデータ記録装置を示す模式図である。同図に示すように、本ホログラフィックデータ記録装置は、反射型データマスク１１０及びレーザビーム投射装置１２０を含み、これを用いてホログラフィック記録媒体２００にデータを記録する。
【００２６】
ホログラフィック記録媒体２００の媒質としては、有機・高分子素材のうち比較的低価である光反応性高分子素材、すなわち光ポリマーを使用することが好ましい。
データを記録するため、レーザビーム投射装置１２０を駆動してホログラフィック記録媒体２００の方向に均一な大面積を有するレーザビーム１２１を発散する。この場合、レーザビーム１２１は、いずれのデータも含まない参照光になる。発散された参照光１２１は、ホログラフィック記録媒体２００を一部透過して反射型データマスク１１０の下部に投射される。
【００２７】
反射型データマスク１１０は、通常のビット方式のＣＤやＤＶＤと同一又は類似にコーディングされたピットから構成されているものを使用できる。すなわち、反射型データマスク１１０は、記録しようとするデータをピット形態で記録して、参照光１２１が投射されれば、記録されたデータに対応するよう光を回折反射する方式で信号光１２３を生成しホログラフィック記録媒体２００に投射する。これにより、レーザビーム投射装置１２０から投射される参照光１２１と反射型データマスク１１０から反射された信号光１２３は、相互干渉を起こして所定の干渉縞を生成し、こうした干渉縞はホログラフィック記録媒体２００にホログラム形態のデータで記録される。
【００２８】
一方、参照光１２１が入射する反対側ホログラフィック記録媒体２００の面には、透過率を変化させる光学コーティングを行うことで信号光と参照光の光強度を調節できる。こうした光学コーティングは誘電体を用いて多層膜を形成することにより行われる。
他方、本発明の一実施形態によれば、記録多重化のためレーザビーム投射装置１２０から投射される参照光１２１の波長を多重化する。すなわち、反射型データマスク１１０を新しいものに入れ替えた後、レーザビーム投射装置１２０内の光源３１１を制御し参照光１２１の波長を波長多重化が可能な範囲内で一定量変化させ投射することにより、データを多重的に記録する。
【００２９】
図４は、図３の方式で記録されたホログラフィック記録媒体２００からデータを再生する再生装置の構成を示す模式図である。同図に示すように、本再生装置３００は、参照光投射装置３１０及び光信号検出器３２０を含む。
参照光投射装置３１０とは、データが干渉縞形態で記録されたホログラフィック記録媒体２００に基準になるレーザビームを投射することにより、これに対応する信号光が再生されるようにする装置を意味する。
【００３０】
本発明の一実施形態によれば、参照光投射装置３１０は、光源３１１と、ビームスプリッター３１３と、対物レンズ３１５と、を含む。光源３１１は、平行ビーム形態のレーザビームを出力する役割を果たす。この場合、光源３１１は、多様な角度で放射されるレーザビームを平行なビーム形態で変形させるコリメーターも含む広い意味のレーザビームソースを意味する。これにより、光源３１１から平行ビーム形態で出力されたレーザビームは、ビームスプリッター３１３により経路が変更され対物レンズ３１５に入射する。この時のビームはいずれのデータも含まない参照光になる。一方、対物レンズ３１５は、参照光を焦点上に集束させる役割を果たす。データ再生のためには、対物レンズ３１５の位置を調節して参照光をホログラフィック記録媒体２００内に集束させる。
【００３１】
ホログラムが記録された位置に参照光のウエストが位置するよう集束されれば、そのレイリー領域内では平行ビームのような性質を有するため記録された信号光がそのまま再生される。この場合、レイリー領域は、ホログラフィック記録媒体２００の厚さより小さければノイズの少ない信号が再生できない。
参照光投射装置３１０によりホログラフィック記録媒体２００に参照光が投射されれば、反射型データマスク１１０から出力されるような形態で信号光が復元される。復元される信号光は、対物レンズ３１５により再び平行ビームに変えられ光信号検出器３２０に集束され、光信号検出器３２０は信号光に含まれたデータを確認する。
【００３２】
この場合、前述したように、再生された信号光は記録当時の反射型データマスク１１０から放出されるように見えるため、参照光の集束時に用いられたものと同一対物レンズ３１５を通過すれば、正確な平行ビームにならない。従って、光信号検出器３２０の前側に信号光の焦点を調節するフォーカシングレンズをさらに設けることで焦点面の違いを補償できる。
【００３３】
他方、ホログラフィック記録媒体２００に参照光が投射される領域に記録されたデータは全て再生されるため、所望のデータのみを再生するために一種の絞りを使用できる。すなわち、復元されて光信号検出器３２０に投射される信号光の投射面積を絞りを用いて調節することにより、ホログラフィック記録媒体２００のうち所定ピットから復元される信号光のみを検出できる。
【００３４】
図５は、図３に示したホログラフィックデータ記録装置を用いてホログラフィック記録媒体２００にデータを記録する方法を説明するためのフロー図である。同図に示すように、複製しようとするデータがピット形態で記録された反射型データマスク１１０をホログラフィック記録媒体２００の下部に置いたままホログラフィック記録媒体２００に参照光を投射する（Ｓ５１０）。この場合、ホログラフィック記録媒体２００の媒質は、光ポリマーを使用できる。
【００３５】
一方、投射された参照光は、ホログラフィック記録媒体２００を一部透過して反射型データマスク１１０の下部から回折反射され信号光の形態でホログラフィック記録媒体２００に投射される（Ｓ５２０）。すなわち、反射型データマスク１１０に記録されたピットがそのまま反射されホログラフィック記録媒体２００の下部に投射される。
レーザビーム投射装置１２０から投射されるレーザビーム、すなわち参照光１２１は、回折反射された信号光１２３との干渉現象を起こすため、こうした干渉縞がそのままホログラフィック記録媒体２００に記録される（Ｓ５３０）。これにより、ＲＯＭ形態のホログラム記録媒体を製造しようとする製作者は、早い方法でデータを複製できる。
【００３６】
他方、製作者は他のデータが記録された反射型データマスク１１０に入れ替えた後、参照光１２１の波長を変更しホログラフィック記録媒体２００の同一領域に投射することにより記録を多重化することもできる（Ｓ５４０）。これにより、製作者はホログラフィック記録媒体２００に記憶されるデータ容量を既存の光記録媒体よりさらに増大させることができる。
【００３７】
図６は、図５の方式で記録されたホログラフィックデータを再生する方法を説明するためのフロー図である。同図に示すように、先ずデータを記録する当時に投射した参照光１２１と同一波長の参照光をホログラフィック記録媒体２００に投射する（Ｓ６１０）。
この場合、本発明の一実施形態である図４の再生装置によれば、光源３１１から出力されたレーザビームをビームスプリッター３１３、および対物レンズ３１５などを用いてホログラフィック記録媒体２００に垂直に投射する（Ｓ６２０）。
【００３８】
一方、ホログラフィック記録媒体２００に参照光が投射されれば、その投射された参照光に対応する信号光がそのまま再生される（Ｓ６３０）。この場合、再生される信号光は反射型データマスク１１０の下部から直接投射されるように見えるため、イメージ焦点のため別のレンズをさらに含むこともできる。また、所望のデータのみを読み出すために再生される信号光が光信号検出器３２０に投射される面積を調節できる絞りをさらに含むこともできる。
【００３９】
再生された信号光は、ホログラフィック記録媒体２００を基準にして反射型データマスク１１０の反対側に位置する光信号検出器３２０により検出され、光信号検出器３２０は検出された信号光のビット形態を把握しそのデータを確認できる（Ｓ６４０）。
他方、多重化されたデータがある場合、波長を異にした参照光を投射してそうしたデータを全て検出できる。
【００４０】
これにより、ユーザは簡単なハードウェアのみを備えてもホログラフィックＲＯＭに記録されたデータを活用できる。
以上では、本発明の好適な実施形態について図示し説明したが、本発明は上述した特定の実施形態に限定されるものではない。実際、当業者であれば、上記の説明に基づき、特許請求の範囲に記載されている本発明の技術的範囲を逸脱することなく、本発明の実施形態に対し、種々の変形及び修正を施すことが可能であろう。従って、そのような変更及び修正は当然に、本発明の技術的範囲に含まれるべきである。
【図面の簡単な説明】
【００４１】
【図１】ホログラフィック記録媒体にデータを記録する記録装置の従来構成を示す模式図である。
【図２】ホログラフィック記録媒体からデータを再生する再生装置の従来構成を示す模式図である。
【図３】本発明の一実施形態によってホログラフィック記録媒体にデータを記録するデータ記録装置の構成を示す模式図である。
【図４】本発明の一実施形態によってホログラフィック記録媒体からデータを再生するデータ再生装置の構成を示す模式図である。
【図５】図３のデータ記録装置でデータを記録する方法を説明するためのフロー図である。
【図６】図４のデータ再生装置でデータを再生する方法を説明するためのフロー図である。
【符号の説明】
【００４２】
２０、２００  ホログラフィック記録媒体
１１０  反射型データマスク
１２０  レーザビーム投射装置
３１０  参照光投射装置
３１１  光源
３１３  ビームスプリッター
３１５  対物レンズ
３２０  光信号検出器
【図１】
2007047669.tif 000003
【図２】
2007047669.tif 000004
【図３】
2007047669.tif 000005
【図４】
2007047669.tif 000006
【図５】
2007047669.tif 000007
【図６】
2007047669.tif 000008